(57)【要約】【課題】把手部を作業性よく組立可能で、作業者の手の痛みや把手部の破れを確実に防止する。【解決手段】所定幅で略Ｕ字形状をなすように形成され、一対の第１折曲部２６，２６を介して外周壁（端壁１１Ａ，１１Ｂ）に連続する切起構造の第１折込部２１と、第１折込部２１の内側に設けられ、第１折込部２１の内縁に、第１折曲部２６の延び方向に沿って延びるように設けた第２折曲部２７を介して連続する第２折込部２８と、第１折込部２１の内側から外側にかけて設けられ、第２折込部２８に、第１折曲部２６の延び方向に沿って延び第１および第２折曲部２７の間に位置するように設けた第３折曲部２９を介して連続するとともに、外周壁に、第１折曲部２６の延び方向に沿って延び第３折曲部２９に対して第１折曲部２６を挟んで反対側に位置するように設けた第４折曲部３１を介して連続する第３折込部３０と、を備える。【選択図】図３
2013133122.tif 000002
【特許請求の範囲】
【請求項１】
少なくとも外周壁の下端開口を底蓋により閉塞した包装箱における前記外周壁、または、外周壁の下端開口を底蓋により閉塞した箱本体の上端開口を蓋体により閉塞した包装箱における前記蓋体の外周壁、に形成する包装箱の把手構造であって、
所定幅で略Ｕ字形状をなすように形成され、両端に一対の第１折曲部を介して前記外周壁に連続する切起構造の第１折込部と、
前記第１折込部の内側に設けられ、この第１折込部の内縁に、前記第１折曲部の延び方向に沿って延びるように設けた第２折曲部を介して連続する第２折込部と、
前記第１折込部の内側から外側にかけて設けられ、前記第２折込部に、前記第１折曲部の延び方向に沿って延び前記第１および第２折曲部の間に位置するように設けた第３折曲部を介して連続するとともに、前記外周壁に、前記第１折曲部の延び方向に沿って延び前記第３折曲部に対して前記第１折曲部を挟んで反対側に位置するように設けた第４折曲部を介して連続する第３折込部と、
を備えることを特徴とする包装箱の把手構造。
【請求項２】
前記第４折曲部は、前記第１折込部の延び方向に沿って延びる一対の折曲線を有することを特徴とする請求項１に記載の包装箱の把手構造。
【発明の詳細な説明】
【技術分野】
【０００１】
本発明は、内部に所定の商品を収容する包装箱の把手構造に関するものである。
【背景技術】
【０００２】
包装箱は、各一対の端壁と側壁とを有する外周壁を備えている。この外周壁の下端開口は、各端壁および各側壁に連設した下側フラップからなる底蓋、または、別体の底蓋により閉塞される。また、外周壁の上端開口は、各端壁および各側壁に連設した上側フラップからなる天蓋、または、別体の蓋体により閉塞される。または、包装箱の上端は、蓋によって閉塞することなく、開放状態のまま使用される。
【０００３】
この包装箱には、作業者が持って搬送する際の補助構造として、外周壁の所定位置に把手部が設けられている。この把手部は、横方向に長い長円形状をなす打抜部を設けることにより形成された打抜構造のものが知られている。但し、打抜構造の把手部は、外部の塵埃が内部に侵入するため、横Ｃ字形状またはＵ字形状をなすように切断線を設け、この切断線の一対の端部にかけて折曲線を設けることにより、切起構造をなすように形成した把手部も知られている。しかし、これらの把手部は、作業者が手を差し込んで搬送する際に、縁が手に食い込んで痛みを感じさせたり、把手部が破れたりすることがある。
【０００４】
特許文献１には、切起構造をなす把手部において、内部の切起部に、切断線の端部間に設けた第１折曲線の延び方向に沿って平行に延びる第２および第３折曲線を設けた包装箱が記載されている。この包装箱の把手部は、各折曲線に沿って山折りおよび谷折りすることにより、外周壁の内外面に重畳させた積層構造の切起縁部を形成できる。
【０００５】
また、特許文献２には、切起構造をなす把手部において、内部の切起部に、逆Ｕ字形状をなす第２切断線を更に設け、その両端から前述の第１の切断線の端部間に設けた第１折曲線の延び方向に沿って平行に延びる第２折曲線を設けた包装箱が記載されている。この包装箱の把手部は、切起部を内部に折り込んで、第２切断線によって更に切起可能な凸片の端縁を外周壁と天蓋の角に位置させることにより、三角筒状をなす立体的な把持縁部を形成できる。
【０００６】
さらに、特許文献３には、切起構造をなす把手部において、内部の切起部に、切断線の端部間に設けた第１折曲線の延び方向に沿って平行に延びる１以上の第２折曲線を設けた包装箱が記載されている。この包装箱の把手部は、各折曲線に沿って折り曲げ、切起部の下端縁を外周壁に当接させることにより、外周壁の外側に多角筒状をなす立体的な把持縁部を形成できる。
【０００７】
しかしながら、各特許文献に記載の把手構造は、積層構造または立体構造をなす把手縁部とする際の作業性が悪いという問題がある。また、特許文献２，３のように立体的な把持縁部は、包装箱の内容物が重たい場合には潰れてしまい、結果的に二重構造の把手縁部となってしまい、作業者の手の痛みや破れを確実に防止できない場合がある。
【先行技術文献】
【特許文献】
【０００８】
【特許文献１】実開昭５６−１００１７号公報
【特許文献２】特許第４６７９２２７号公報
【特許文献３】特開２００７−２０４０５８号公報
【発明の概要】
【発明が解決しようとする課題】
【０００９】
本発明では、把手部を作業性よく組立可能で、作業者の手の痛みや把手部の破れを確実に防止できる包装箱の把手構造を提供することを課題とするものである。
【課題を解決するための手段】
【００１０】
前記課題を解決するため、本発明の包装箱の把手構造は、少なくとも外周壁の下端開口を底蓋により閉塞した包装箱における前記外周壁、または、外周壁の下端開口を底蓋により閉塞した箱本体の上端開口を蓋体により閉塞した包装箱における前記蓋体の外周壁、に形成する包装箱の把手構造であって、所定幅で略Ｕ字形状をなすように形成され、両端に設けた一対の第１折曲部を介して前記外周壁に連続する切起構造の第１折込部と、前記第１折込部の内側に設けられ、この第１折込部の内縁に、前記第１折曲部の延び方向に沿って延びるように設けた第２折曲部を介して連続する第２折込部と、前記第１折込部の内側から外側にかけて設けられ、前記第２折込部に、前記第１折曲部の延び方向に沿って延び前記第１および第２折曲部の間に位置するように設けた第３折曲部を介して連続するとともに、前記外周壁に、前記第１折曲部の延び方向に沿って延び前記第３折曲部に対して前記第１折曲部を挟んで反対側に位置するように設けた第４折曲部を介して連続する第３折込部と、を備える構成としている。
【００１１】
この包装箱の把手構造は、Ｕ字形状をなす切起構造の第１折込部を第１折曲部に沿って内向きに折り曲げることにより、第２折曲部を介して連続する第２折込部が内向きに折り曲げられる。更に第１折込部を折り曲げて外周壁の内面側に重畳させると、第２折込部に対して第３折曲部を介して連続する第３折込部が更に内向きに折り曲げられる。そして、この折込作業は、最初に第１折込部を指先で内向きに押し込んだ後は、指の手の平側が第３折込部に面接触した状態で行われる。そのため、手を差し込んで持ち上げる際には、外周壁、第１折込部、第２折込部および第３折込部の順番で、外側から内側へ重畳した状態をなす。
【００１２】
このように、本発明の把手構造は、手を差し込むことにより簡単に積層構造をなす把手縁部を形成することができる。そして、作業者が把持した場合には、積層構造をなす把持縁部が手の平に当たるため、食い込みによって痛みが生じることを緩和できる。また、この把手部は、持ち上げにより応力が集中する第１折曲部より上側が、少なくとも第１折込部によって二層構造をなすため、破れの発生を防止できる。
【００１３】
この包装箱の把手構造では、前記第４折曲部は、前記第１折込部の延び方向に沿って延びる一対の折曲線を有することが好ましい。このようにすれば、作業者の手の平に当たる部分が一対の折曲線間の面になるため、食い込みによる痛みを確実に防止できる。
【発明の効果】
【００１４】
本発明の包装箱の把手構造では、手を差し込むことにより簡単に積層構造をなす把手縁部を形成できる。また、把持した際には、積層構造をなす把持縁部が手の平に当たるため、食い込みによる痛みを防止できる。さらに、把手部は、持ち上げにより応力が集中する第１折曲部より上側が少なくとも二層構造をなすため、破れの発生を防止できる。
【図面の簡単な説明】
【００１５】
【図１】本発明の第１実施形態の把手構造を用いた包装箱を示す斜視図である。
【図２】図１の要部拡大斜視図である。
【図３】把手部の第１折込状態を示す斜視図である。
【図４】把手部の第２折込状態を示す斜視図である。
【図５】把手部の第３折込状態を示す斜視図である。
【図６】包装箱のブランクを示す平面図である。
【図７】第１実施形態の把手部を示す拡大平面図である。
【図８】第２実施形態の把手部を示す拡大平面図である。
【図９】第３実施形態の把手部を示す拡大平面図である。
【図１０】第４実施形態の把手部を示す拡大平面図である。
【図１１】第５実施形態の把手部を示す拡大平面図である。
【図１２】第６実施形態の把手部を示す拡大平面図である。
【発明を実施するための形態】
【００１６】
以下、本発明の実施の形態を図面に従って説明する。
【００１７】
（第１実施形態）
図１は、本発明に係る第１実施形態の把手構造を用いた包装箱１０を示す。この包装箱１０は、四方を囲繞する各一対の端壁１１Ａ，１１Ｂおよび側壁１２Ａ，１２Ｂからなる外周壁を備えている。各壁１１Ａ，１１Ｂ，１２Ａ，１２Ｂには、下端縁に底蓋を構成する下側フラップ１５Ａ，１５Ｂ，１６Ａ，１６Ｂが連設され、上端縁に天蓋を構成する上側フラップ１７Ａ，１７Ｂ，１８Ａ，１８Ｂが連設されている。そして、各端壁１１Ａ，１１Ｂの中央上部に、本発明の把手部２０が設けられている。
【００１８】
この包装箱１０は、表ライナおよび裏ライナの間に波状の中しんを配設した周知の段ボール紙を、周知の紙器打抜装置（図示せず）によって連続した一枚のブランクとして打ち抜き、所定部位を糊付けし、折り曲げることによって成形される。なお、本実施形態の包装箱１０のブランクは、把手部２０を形成するための部分型を用い、安価に大量生産することが可能な汎用機械であるフレキソグルアにより形成される。
【００１９】
包装箱１０のブランクは、図６に示すように、外周壁を構成する各一対の端壁１１Ａ，１１Ｂおよび側壁１２Ａ，１２Ｂを備えている。これらは、横方向に交互かつ直線的に連続するように設けられている。これらのうち、左側端部に位置する側壁１２Ａの側縁には、右側端部に位置する端壁１１Ｂに貼着するための糊代部１３が連設されている。そして、側壁１２Ａと端壁１１Ａの境界部分、端壁１１Ａと側壁１２Ｂの境界部分、側壁１２Ｂと端壁１１Ｂの境界部分、および、糊代部１３と側壁１２Ａの境界部分には、それぞれ肉厚を圧縮するように罫を入れて形成した折曲線１４が縦方向（組立状態での上下方向）に延びるように設けられている。
【００２０】
端壁１１Ａ，１１Ｂの下端縁には下側内フラップ１５Ａ，１５Ｂが連設され、側壁１２Ａ，１２Ｂの下端縁には下側外フラップ１６Ａ，１６Ｂが連設されている。また、端壁１１Ａ，１１Ｂの上端縁には上側内フラップ１７Ａ，１７Ｂが連設され、側壁１２Ａ，１２Ｂの上端縁には上側外フラップ１８Ａ，１８Ｂが連設されている。下側フラップ１５Ａ，１５Ｂ，１６Ａ，１６Ｂは底蓋を構成し、上側フラップ１７Ａ，１７Ｂ，１８Ａ，１８Ｂは天蓋を構成するもので、それぞれ各壁１１Ａ，１１Ｂ，１２Ａ，１２Ｂとの境界部分には前記と同様の折曲線１９が設けられている。なお、この包装箱１０のブランクにおいて、段ボール紙の中しんの延び方向（段目）は、上下方向である。
【００２１】
この包装箱１０のブランクにおいて、端壁１１Ａ，１１Ｂの横方向の中央上部には切起構造の把手部２０が設けられている。第１実施形態の把手部２０は、図７に示すように、所定幅で略Ｕ字形状をなすように形成された第１折込部２１を備えている。具体的には、第１折込部２１は、下向きに延びる一対の直線部２２，２２と、これら直線部２２，２２の下端を連続する下向きに湾曲した湾曲部２３とを有する。
【００２２】
第１折込部２１の外周部と端壁１１Ａ，１１Ｂとは、一対の直線状切断部２４ａ，２４ａと、これらを連続させる円弧状切断部２４ｂとを有する第１切断線２４により区画されている。この第１切断線２４による切断縁は、把手部２０の下側縁を構成する。本実施形態の第１切断線２４には、直線状切断部２４ａの上端に、略半円形状をなすように外向きに湾曲する破断抑止用の終端切断部２４ｃが設けられている。
【００２３】
第１折込部２１の内側には、線対称な形状をなす一対の第２切断線２５，２５が上下方向に延びるように設けられている。第２切断線２５は、第１折込部２１の湾曲部２３の側端に位置する１／４円形状の円弧状切断部２５ａと、この円弧状切断部２５ａから第１切断線２４の上端を越えて延びる直線状切断部２５ｂと、この直線状切断部２５ｂの上端から内向きに旋回する破断抑止用の終端切断部２５ｃとからなる。
【００２４】
これら第１および第２切断線２４，２５により区画された第１折込部２１は、両端に一対の第１折曲部２６，２６が設けられ、この第１折曲部２６を介して端壁１１Ａ，１１Ｂと連続している。第１折曲部２６は、肉厚を圧縮するように罫を入れて形成した折曲線により構成される。また、第１折曲部２６は、第１切断線２４の終端切断部２４ｃから第２切断線２５の直線状切断部２５ｂにかけて、同一高さで直線的に延びるように設けられている。
【００２５】
第２切断線２５，２５の円弧状切断部２５ａ，２５ａの端部間には第２折曲部２７が設けられている。そして、これら第２切断線２５，２５および第２折曲部２７により、第１折込部２１と区画した第２折込部２８が形成されている。第２折曲部２７は、第１折曲部２６の延び方向に沿って平行に延びるように設けられている。この第２折曲部２７は、一点鎖線で示す折曲線１４と同様の折目部と、この折目部に沿って設けた実線で示す切断部とからなるリード罫により構成されている。第２折込部２８は、第１折込部２１の内側に位置するように設けられ、この第１折込部２１の内縁となる第２折曲部２７を介して第１折込部２１と連続している。
【００２６】
第２切断線２５，２５の直線状切断部２５ｂ，２５ｂの間には、第１および第２折曲部２６，２７の間に位置し、第１折曲部２６の延び方向に沿って平行に延びる第３折曲部２９が設けられている。そして、これら第２切断線２５，２５および第３折曲部２９により、端壁１１Ａ，１１Ｂ、第１および第２折込部２１，２８と区画した第３折込部３０が形成されている。第３折曲部２９は、第２折曲部２７と同様のリード罫により構成されている。第３折込部３０は、第１折込部２１の内側から外側上方にかけて延びるように設けられ、第３折曲部２９を介して第２折曲部２７と連続している。
【００２７】
第２切断線２５，２５の上部には、第３折込部３０を端壁１１Ａ，１１Ｂと区画する第４折曲部３１が設けられている。この第４折曲部３１は、第３折曲部２９に対して第１折曲部２６を挟んで反対（上）側に位置するように、第１折曲部２６の延び方向に沿って平行に延びるものである。即ち、第３折込部３０は、この第４折曲部３１を介して端壁１１Ａ，１１Ｂに連続している。
【００２８】
本実施形態の第４折曲部３１は、第２切断線２５，２５の直線状切断部２５ｂ，２５ｂの間にかけて延びる第１折曲線３２と、第２切断線２５，２５の終端切断部２５ｃ，２５ｃの間にかけて延びる第２折曲線３３とを有する。これら一対の折曲線３２，３３は、前述のように、第１折曲部２６の延び方向に沿って平行に延びる。そして、第１折曲線３２は折目部と切断部とからなるリード罫により構成され、第２折曲線３３は折目部により構成される。この第４折曲部３１により、第３折込部３０と端壁１１Ａ，１１Ｂとの間（第１および第２折曲線３２，３３間）には、折り込みによる肉厚を考慮した枠縁部３４が形成されている。
【００２９】
この包装箱１０のブランクは、端壁１１Ａに対して側壁１２Ａを折り曲げるとともに、側壁１２Ｂに対して端壁１１Ｂを折り曲げ、重畳する糊代部１３と端壁１１Ｂとを、酢酸ビニルエマルジョン系などの接着剤により糊付けする。そして、この折畳状態で所定の製造メーカ等に納品される。
【００３０】
包装箱１０を組み立てて使用する際には、下側内フラップ１５Ａ，１５Ｂを内向きに折り曲げた後、下側外フラップ１６Ａ，１６Ｂを折り曲げ、突き合わさった先端を粘着テープ等の固着手段によって貼着する。そして、所定の商品を内部に収容させ、上側内フラップ１７Ａ，１７Ｂを内向きに折り曲げた後、上側外フラップ１８Ａ，１８Ｂを折り曲げ、突き合わさった先端を粘着テープ等の固着手段によって貼着する。
【００３１】
そして、このように封緘した包装箱１０を作業者が搬送する際には、図２に示すように、切起構造をなす第１折込部２１の中心を内向きに押し込む。これにより、図３に示すように、第１折込部２１が第１折曲部２６に沿って内向きに折り曲げられ、第２折曲部２７を介して連続した第２折込部２８が連動して内向きに折り曲げられる。また、第３折曲部２９を介して連続した第３折込部３０も連動して折り曲げられる。
【００３２】
そして、図４に示すように、第１折込部２１が端壁１１Ａ，１１Ｂの内面に重畳するように折り曲げると、上側に位置する第２折曲部２７が谷折りされ、これを支点として第２折込部２８が内側下向きに傾斜して延び、この第２折込部２８に連続する第３折込部３０が更に内向きに折り曲げられる。
【００３３】
ここで、以上の折込作業は、最初に第１折込部２１を指先で内向きに押し込んだ後は、指の手の平側に第３折込部３０が面接触した状態で行われる。そのため、手を差し込んで持ち上げるために、把手部２０の上側を握ると、図５に示すように、端壁１１Ａ，１１Ｂ、第１折込部２１、第２折込部２８および第３折込部３０の順番で、外側から内側へ重畳した状態をなす。
【００３４】
このように、本発明の把手構造は、手を差し込むことによって、第１および第２折込部２１，２８を連続する第２折曲部２７に誘導されるように、第１から第３折込部２１，２８，３０を連動させて、作業性よく簡単に積層構造をなす把手縁部を形成することができる。そして、作業者が把持した場合には、積層構造をなす把持縁部が手の平に当たるため、食い込みによって痛みが生じることを緩和できる。しかも、本実施形態では、第４折曲部３１を一対の折曲線３２，３３により構成し、その間に枠縁部３４を設けているため、作業者の手の平に当たる部分を枠縁部３４の面としているため、食い込みによる痛みを確実に防止できる。
【００３５】
また、本実施形態の把手部２０は、持ち上げにより応力（重力）が集中する第１折曲部２６より上側が、少なくとも第１折込部２１によって強度を向上させた二層構造としているため、破れの発生を防止できる。そのため、例え作業者が端壁１１Ａ，１１Ｂのうち一方の把手部２０だけで包装箱１０を持ったとしても、端壁１１Ａ，１１Ｂに破れが生じることを防止できる。なお、この破れの防止は、本実施形態の把手部２０が第１および第２切断線２４，２５により凸字形状の把持穴となるため、応力を分散させることが可能な点にもある。
【００３６】
（第２実施形態）
図８は第２実施形態の把手構造を示す。この第２実施形態の把手部２０は、第４折曲部３１を構成する第１および第２折曲線３２，３３を、円弧状をなすように構成した点で相違している。具体的には、第１折曲線３２は折目部と切断部とからなるリード罫により構成され、第１折曲部２６の延び方向に沿って下向きに迂回するように設けられている。第２折曲線３３は折目部により構成され、第１折曲部２６の延び方向に沿って上向きに迂回するように設けられている。そして、このように構成した第２実施形態では、第１実施形態と同様の作用および効果を得ることができる。
【００３７】
（第３実施形態）
図９は第３実施形態の把手構造を示す。この第３実施形態の把手部２０は、第４折曲部３１を構成する第１および第２折曲線３２，３３を、菱形状をなすように構成した点で相違している。具体的には、第１折曲線３２は、第２切断線２５から下向きに傾斜する一対のリード罫３２ａ，３２ａにより構成されている。第２折曲線３３は、第２切断線２５から上向きに傾斜する一対の折目部３３ａ，３３ａにより構成されている。そして、これらの各交差部間には、縦方向に延びる切断線３５が設けられている。このように構成した第３実施形態では、第１実施形態と同様の作用および効果を得ることができる。
【００３８】
（第４実施形態）
図１０は第４実施形態の把手構造を示す。この第４実施形態の把手部２０は、第４折曲部３１を構成する第１および第２折曲線３２，３３を、台形状をなすように構成した点で相違している。具体的には、第１折曲線３２は、第２切断線２５から下向きに傾斜する一対のリード罫３２ａ，３２ａと、これらリード罫３２ａ，３２ａの端部間に設けた折目部３２ｂにより構成されている。第２折曲線３３は、第２切断線２５から上向きに傾斜する一対の折目部３３ａ，３３ａと、これら折目部３３ａ，３３ａの端部間に設けた折目部３３ｂにより構成されている。そして、これらの各交差部間には、縦方向に延びる切断線３５，３５が設けられている。このように構成した第４実施形態では、第１実施形態と同様の作用および効果を得ることができる。
【００３９】
（第５実施形態）
図１１は第５実施形態の把手構造を示す。この第５実施形態の把手部２０は、第２切断線２５，２５の終端切断部２５ｃ，２５ｃから外向きに延びる一対の緩衝用折曲線３６Ａ，３６Ｂを設けた点で第１実施形態と相違している。下側に位置する緩衝用折曲線３６Ａは、下向きに湾曲した形状をなす。上側に位置する緩衝用折曲線３６Ｂは、上向きに湾曲した形状をなす。このように構成した第５実施形態では、第１実施形態と同様の作用および効果を得ることができるうえ、把手部２０に加わる応力を緩衝用折曲線３６Ａ，３６Ｂによって端壁１１Ａ，１１Ｂにて緩衝できる。
【００４０】
（第６実施形態）
図１２は第６実施形態の把手構造を示す。この第６実施形態の把手部２０は、下側の緩衝用折曲線３６Ａのみを設けた点で第５実施形態と相違している。このように構成した第６実施形態では、第５実施形態と略同様の作用および効果を得ることができる。
【００４１】
なお、本発明の包装箱１０の把手構造は、前記実施形態の構成に限定されるものではなく、種々の変更が可能である。
【００４２】
例えば、各実施形態では、第４折曲部３１を一対の折曲線３２，３３により構成したが、１本の折曲線だけで構成してもよい。また、第３折曲部２９は、１本のリード罫により構成したが、第１折曲部２６と第２折曲部２７の間において２以上設けてもよい。さらに、第１から第３折曲部２６，２７，２９は、直線状をなすように設けたが、曲線状をなすように構成してもよい。さらにまた、第５および第６実施形態に示す緩衝用折曲線は、第２から第４実施形態に示す把手部２０に設けてもよい。
【００４３】
さらに、前記実施形態では、本発明の把手部２０を適用する包装箱１０を、平面視四角形状をなすように構成したが、端壁１１Ａ，１１Ｂと側壁１２Ａ，１２Ｂとの間に面取壁を設けることにより、平面視八角形状としてもよく、その構成は希望に応じて変更が可能である。さらに、把手部２０は端壁１１Ａ，１１Ｂに限られず、外周壁であればいずれの壁に設けてもよい。
【００４４】
そして、前記実施形態の包装箱１０は、外周壁の下端開口と上端開口とをフラップ１５Ａ，１５Ｂ〜１８Ａ，１８Ｂにより閉塞する構成としたが、下端開口だけを閉塞したものであってもよい。勿論、外周壁の下端開口は、別体の底蓋によって閉塞するものであってもよい。また、包装箱１０は、外周壁の上端開口を別体の蓋体で閉塞するものであってもよい。この場合、把手部２０は、蓋体の外周壁に設けてもよい。
【符号の説明】
【００４５】
１０…包装箱
１１Ａ，１１Ｂ…端壁（外周壁）
１２Ａ，１２Ｂ…側壁（外周壁）
１５Ａ，１５Ｂ…下側内フラップ（底蓋）
１６Ａ，１６Ｂ…下側外フラップ（底蓋）
１７Ａ，１７Ｂ…上側内フラップ（天蓋）
１８Ａ，１８Ｂ…上側外フラップ（天蓋）
２０…把手部
２１…第１折込部
２６…第１折曲部
２７…第２折曲部
２８…第２折込部
２９…第３折曲部
３０…第３折込部
３１…第４折曲部
３２…第１折曲線
３３…第２折曲線
３４…枠縁部
【図１】
2013133122.tif 000003
【図２】
2013133122.tif 000004
【図３】
2013133122.tif 000005
【図４】
2013133122.tif 000006
【図５】
2013133122.tif 000007
【図６】
2013133122.tif 000008
【図７】
2013133122.tif 000009
【図８】
2013133122.tif 000010
【図９】
2013133122.tif 000011
【図１０】
2013133122.tif 000012
【図１１】
2013133122.tif 000013
【図１２】
2013133122.tif 000014